(57)【特許請求の範囲】
【請求項１】
遊技領域が形成された遊技盤と、
遊技球が入球し得る入賞口として前記遊技領域の所定位置に設けられ、その入球が通常遊技より遊技者に有利な状態である特別遊技へ移行するか否かを判定するための第１の抽選の実行契機となる第１始動入賞口と、
遊技球が入球し得る拡開式の入賞口として前記遊技領域の所定位置に設けられ、拡開されたときには前記第１始動入賞口よりも入球可能性が相対的に高くなるように構成され、その入球が通常遊技より遊技者に有利な状態である特別遊技へ移行するか否かを判定するための第２の抽選の実行契機となる第２始動入賞口と、
前記第１始動入賞口への入球を契機として、前記特別遊技への移行可否を決定するために前記第１の抽選を実行する第１抽選手段と、
前記第２始動入賞口への入球を契機として、前記特別遊技への移行可否を決定するために前記第２の抽選を実行する第２抽選手段と、
前記第１の抽選または前記第２の抽選の結果を示すための図柄が、予め決定された変動パターンにしたがって変動表示される図柄表示装置と、
以前の抽選に対応する図柄の変動表示が終了していることを開始条件として、前記第１の抽選または前記第２の抽選の結果を示す図柄を前記図柄表示装置へ変動表示させる表示制御手段と、
新たに前記第１の抽選が実行されるときにそれ以前の抽選に対応する図柄変動が表示されている場合、前記新たな第１の抽選の結果を所定個数を上限にその抽選に対応する図柄の変動表示開始まで保留する第１保留制御手段と、
新たに前記第２の抽選が実行されるときにそれ以前の抽選に対応する図柄変動が表示されている場合、前記新たな第２の抽選の結果を所定個数を上限にその抽選に対応する図柄の変動表示開始まで保留する第２保留制御手段と、
前記遊技領域の所定位置に設けられ、前記特別遊技が実行されるときに開放される大入賞口と、
前記第１の抽選または前記第２の抽選が前記特別遊技への移行を示す結果となった場合に前記大入賞口を開放させて前記特別遊技を実行する特別遊技制御手段と、
前記第１抽選手段から受け取る前記第１の抽選の結果または前記第２抽選手段から受け取る前記第２の抽選の結果に応じて、前記表示制御手段によって前記図柄表示装置へ表示させる前記図柄の変動パターンを含む演出内容を決定する演出決定手段と、
前記第１の抽選の結果または前記第２の抽選の結果が前記特別遊技への移行を示し、かつ確率変動状態への移行を示す結果となった場合に、その特別遊技後に次の特別遊技へ移行されるまでの期間、前記第１の抽選および前記第２の抽選において次の特別遊技へ移行される確率を通常状態より高めた状態である前記確率変動状態への移行させる一方、前記第１の抽選の結果または前記第２の抽選の結果が前記特別遊技への移行を示す結果となった場合に、その特別遊技の終了後から所定の終了条件が成立するまで、前記第２始動入賞口の拡開による入球容易性を通常状態よりも高めた状態である入球容易状態へ移行させる特定遊技実行手段と、
を備え、
前記第１抽選手段および前記第２抽選手段は遊技の進行を制御する主制御装置に設けられ、前記演出決定手段は遊技における演出の動作を制御する副制御装置に設けられ、前記主制御装置と前記副制御装置の間におけるデータの送受信は前記主制御装置から前記副制御装置への一方向になされ、
前記第１抽選手段は、新たな抽選が実行されたときにその抽選に対応する図柄変動表示が直ちに開始されるか否かにかかわらずその結果を前記演出決定手段へ送信し、
前記表示制御手段は、前記第２保留制御手段により前記第２の抽選の結果が保留されている場合は前記第１の抽選に対応する図柄変動表示の開始を留保する一方、前記第１保留制御手段により前記第１の抽選の結果が保留されているか否かにかかわらず前記第２の抽選に対応する図柄変動表示を開始し、
前記演出決定手段は、
前記確率変動状態において前記第１保留制御手段に保留された前記第１の抽選の結果のうち少なくともいずれかが、前記確率変動状態であるか否かにかかわらず前記特別遊技への移行を示す結果であった場合に、前記第２始動入賞口への入球を促し、その入球により前記特別遊技へ連続的に移行する期待度が高まることを示唆する示唆演出を演出内容として決定することを特徴とする弾球遊技機。
【請求項２】
前記演出決定手段は、前記確率変動状態において、前記第１保留制御手段により確率変動状態であるか否かにかかわらず前記特別遊技への移行を示す第１の抽選の結果が保留された場合に、平均的な変動時間が相対的に短い変動パターンである短変動パターンと、平均的な変動時間が相対的に長い変動パターンである長変動パターンとを切り替えるようにして変動パターンを決定することを特徴とする請求項１に記載の弾球遊技機。
【請求項３】
前記演出決定手段は、前記確率変動状態において、前記第１保留制御手段により確率変動状態であるか否かにかかわらず前記特別遊技への移行を示す第１の抽選の結果が保留された場合に、それ以降の変動パターンとして前記長変動パターンを選択することを特徴とする請求項２に記載の弾球遊技機。
【請求項４】
遊技領域が形成された遊技盤と、
遊技球が入球し得る入賞口として前記遊技領域の所定位置に設けられ、その入球が通常遊技より遊技者に有利な状態である特別遊技へ移行するか否かを判定するための第１の抽選の実行契機となる第１始動入賞口と、
遊技球が入球し得る入賞口として前記遊技領域の所定位置に設けられ、その入球が通常遊技より遊技者に有利な状態である特別遊技へ移行するか否かを判定するための第２の抽選の実行契機となる第２始動入賞口と、
前記第１始動入賞口への入球を契機として、前記特別遊技への移行可否を決定するために前記第１の抽選を実行する第１抽選手段と、
前記第２始動入賞口への入球を契機として、前記特別遊技への移行可否を決定するために前記第２の抽選を実行する第２抽選手段と、
前記第１の抽選または前記第２の抽選の結果を示すための図柄が、予め決定された変動パターンにしたがって変動表示される図柄表示装置と、
以前の抽選に対応する図柄の変動表示が終了していることを開始条件として、前記第１の抽選または前記第２の抽選の結果を示す図柄を前記図柄表示装置へ変動表示させる表示制御手段と、
新たに前記第１の抽選が実行されるときにそれ以前の抽選に対応する図柄変動が表示されている場合、前記新たな第１の抽選の結果を所定個数を上限にその抽選に対応する図柄の変動表示開始まで保留する第１保留制御手段と、
新たに前記第２の抽選が実行されるときにそれ以前の抽選に対応する図柄変動が表示されている場合、前記新たな第２の抽選の結果を所定個数を上限にその抽選に対応する図柄の変動表示開始まで保留する第２保留制御手段と、
前記遊技領域の所定位置に設けられ、前記特別遊技が実行されるときに開放される大入賞口と、
前記第１の抽選または前記第２の抽選が前記特別遊技への移行を示す結果となった場合に前記大入賞口を開放させて前記特別遊技を実行する特別遊技制御手段と、
前記第１抽選手段から受け取る前記第１の抽選の結果または前記第２抽選手段から受け取る前記第２の抽選の結果に応じて、前記表示制御手段によって前記図柄表示装置へ表示させる前記図柄の変動パターンを含む演出内容を決定する演出決定手段と、
を備え、
前記第１抽選手段および前記第２抽選手段は遊技の進行を制御する主制御装置に設けられ、前記演出決定手段は遊技における演出の動作を制御する副制御装置に設けられ、前記主制御装置と前記副制御装置の間におけるデータの送受信は前記主制御装置から前記副制御装置への一方向になされ、
前記第１抽選手段および前記第２抽選手段の双方が、新たな抽選が実行されたときにその抽選に対応する図柄変動表示が直ちに開始されるか否かにかかわらずその結果を前記演出決定手段へ送信し、
前記表示制御手段は、前記第２保留制御手段により前記第２の抽選の結果が保留されている場合は前記第１の抽選に対応する図柄変動表示の開始を留保する一方、前記第１保留制御手段により前記第１の抽選の結果が保留されているか否かにかかわらず前記第２の抽選に対応する図柄変動表示を開始し、
前記演出決定手段は、
前記第１保留制御手段に保留された前記第１の抽選の結果が前記特別遊技への移行期待度が相対的に高いことを示す演出に対応づけられたものであった場合に、前記第２始動入賞口への入球を促し、その入球により前記特別遊技へ連続的に移行する期待度が高まることを示唆する示唆演出を演出内容として決定し、
前記第１の抽選の結果が前記特別遊技への移行期待度が相対的に高いことを示す演出に対応づけられたものであった場合に、平均的な変動時間が相対的に短い変動パターンである短変動パターンと、平均的な変動時間が相対的に長い変動パターンである長変動パターンとを切り替えるようにして変動パターンを決定し、
保留されている各抽選の抽選値に対応する図柄変動時間をそれぞれ算出し、前記第１の抽選において前記特別遊技への移行を示す結果となった抽選値に対応する図柄変動よりも前に変動表示される図柄変動の総変動時間を残り時間として示唆するとともに、その残り時間が消化されるまでに前記第２の抽選の結果が前記特別遊技への移行を示す結果になれば前記特別遊技が連続することを示唆する演出を演出内容として決定することを特徴とする弾球遊技機。
【請求項５】
前記短変動パターンおよび前記長変動パターンのそれぞれにおいて、図柄変動時間が一定に固定された複数の変動パターンが前記抽選値に対応づけられ、
前記演出決定手段は、選択した変動パターンに対応する図柄変動時間に各保留制御手段が保留する抽選値の保留数を乗算することにより、前記総変動時間を算出することを特徴とする請求項４に記載の弾球遊技機。
【発明の詳細な説明】
【技術分野】
【０００１】
本発明は、ぱちんこ遊技機等の弾球遊技機に関し、特に弾球遊技機において遊技の進行を支援する技術に関する。
【背景技術】
【０００２】
各種の弾球遊技機のうち、従来にいう第１種ぱちんこ遊技機は、遊技盤の略中央に設けられた液晶ディスプレイなどの表示領域に複数の図柄を変動させながら表示する（以下、そうした表示を「図柄変動」または「変動表示」等という）。この遊技機では、たとえば遊技盤上に形成された始動入賞口へ遊技球が入球すると、その結果としてランダムな抽選値が取得される。取得された抽選値は保留球として、たとえば最大４個まで一時記憶される。保留球は順次１つずつ読み出されて当否判定され、その判定結果に応じて図柄が変動表示される。そして、複数列の図柄変動を停止させたときの図柄の組合せが特定の態様となった場合に、通常遊技より多くの賞球が得られるいわゆる大当たりと呼ばれる特別遊技へと移行する。
【０００３】
表示領域における図柄の変動表示は、単に複数の図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像に様々なキャラクタやモチーフを用いて変動表示にストーリーを持たせる演出によっても遊技者の期待感を高めている。図柄の変動表示の態様および表示過程が定められた変動パターンは、一つの機種において複数のパターンが用意され、いずれのパターンに基づいて表示されるかが図柄変動が開始されるたびに抽選で決定される（例えば、特許文献１参照）。
【特許文献１】特開２００３−２３０７１４号公報
【発明の開示】
【発明が解決しようとする課題】
【０００４】
遊技機の遊技性が多様化しているのと同様、遊技性の嗜好も遊技者によって異なるが、あまり単純な遊技性よりも多少なりとも遊技者の技能如何で利益に違いが生じるような幅をもった遊技性のある遊技機が好まれやすい傾向にある。特に、利益を獲得できるチャンスの期間が限定的に与えられるような機種の場合、遊技者の心理としてはできる限り効率的な打ち方をしてそのチャンスを最大限に活かしたいと考えるのが自然である。そのために遊技機から遊技者へ遊技状態に関する何らかの示唆を与えることで、遊技者の打ち方次第で遊技進行の効率に変化がもたらされる可能性のある遊技性を本発明の発明者は想起するに至った。
【０００５】
本発明はこうした課題に鑑みてなされたものであり、その目的は、弾球遊技機における遊技者の打ち方次第で得られる利益に変化が生じ得る遊技性を実現することにある。
【課題を解決するための手段】
【０００６】
上記課題を解決するために、本発明のある態様の弾球遊技機は、遊技領域が形成された遊技盤と、遊技球が入球し得る入賞口として遊技領域の所定位置に設けられ、その入球が通常遊技より遊技者に有利な状態である特別遊技へ移行するか否かを判定するための第１の抽選の実行契機となる第１始動入賞口と、遊技球が入球し得る入賞口として遊技領域の所定位置に設けられ、その入球が通常遊技より遊技者に有利な状態である特別遊技へ移行するか否かを判定するための第２の抽選の実行契機となる第２始動入賞口と、第１始動入賞口への入球を契機として、特別遊技への移行可否を決定するとともに第１の抽選の結果を示す図柄の変動過程が定められた変動パターンを決定するために第１の抽選を実行する第１抽選手段と、第２始動入賞口への入球を契機として、特別遊技への移行可否を決定するとともに第２の抽選の結果を示す図柄の変動過程が定められた変動パターンを決定するために第２の抽選を実行する第２抽選手段と、第１の抽選または第２の抽選の結果を示すための図柄が、決定された変動パターンにしたがって変動表示される図柄表示装置と、以前の抽選に対応する図柄の変動表示が終了していることを開始条件として、第１の抽選または第２の抽選の結果を示す図柄を図柄表示装置へ変動表示させる表示制御手段と、新たに第１の抽選が実行されるときにそれ以前の抽選に対応する図柄変動が表示されている場合、新たな第１の抽選の結果を所定個数を上限にその抽選に対応する図柄の変動表示開始まで保留する第１保留制御手段と、新たに第２の抽選が実行されるときにそれ以前の抽選に対応する図柄変動が表示されている場合、新たな第２の抽選の結果を所定個数を上限にその抽選に対応する図柄の変動表示開始まで保留する第２保留制御手段と、遊技領域の所定位置に設けられ、特別遊技が実行されるときに開放される大入賞口と、第１の抽選または第２の抽選が特別遊技への移行を示す結果となった場合に大入賞口を開放させて特別遊技を実行する特別遊技制御手段と、第１抽選手段から受け取る第１の抽選の結果または第２抽選手段から受け取る第２の抽選の結果に応じて、表示制御手段によって図柄表示装置へ表示させる演出内容を決定する演出決定手段と、を備える。
【０００７】
第１抽選手段および第２抽選手段は遊技の進行を制御する主制御装置に設けられ、演出決定手段は遊技における演出の動作を制御する副制御装置に設けられ、主制御装置と副制御装置の間におけるデータの送受信は主制御装置から副制御装置への一方向になされる。第１抽選手段は、新たな抽選が実行されたときにその抽選に対応する図柄変動表示が直ちに開始されるか否かにかかわらずその結果を演出決定手段へ送信する。表示制御手段は、第２保留制御手段により第２の抽選の結果が保留されている場合は第１の抽選に対応する図柄変動表示の開始を留保する一方、第１保留制御手段により第１の抽選の結果が保留されているか否かにかかわらず第２の抽選に対応する図柄変動表示を開始する。演出決定手段は、第１保留制御手段に保留された第１の抽選の結果が特別遊技への移行期待度が相対的に高いことを示す演出に対応づけられたものであった場合に、第２始動入賞口への入球を促し、その入球により特別遊技へ連続的に移行する期待度が高まることを示唆する示唆演出を演出内容として決定する。
【０００８】
ここで、第１抽選手段は、第１の抽選として、当否判定、図柄決定、変動パターン決定を全て一つの抽選値に基づいて処理してもよいし、当否判定、図柄決定、変動パターン決定のそれぞれを別個の抽選値に基づいて第１の抽選として処理してもよい。第２抽選手段も同様に、第２の抽選として、当否判定、図柄決定、変動パターン決定を全て一つの抽選値に基づいて処理してもよいし、当否判定、図柄決定、変動パターン決定のそれぞれを別個の抽選値に基づいて処理してもよい。第１抽選手段が第１の抽選が実行されるごとにその結果を演出決定手段へ送信するため、演出決定手段は、その第１の抽選の結果を示す図柄の変動表示が開始される前にその結果を取得するいわゆる先読みを行えるようになる。このため、演出決定手段が、その先読み情報に基づく演出内容を決定できるようになり、演出の幅を広げることが可能になる。第２保留手段により第２の抽選の結果が保留されている間は第１の抽選の結果について図柄変動が開始されないので、第２の抽選の図柄変動を第１の抽選の図柄変動より優先して開始させる遊技性が実現される。「特別遊技への移行期待度が相対的に高いことを示す演出」は、特別遊技への移行確定を示すいわゆる大当たり確定演出であってもよいし、特別遊技への移行が確定した場合に移行しない場合よりも高確率で選択されるいわゆる高期待度演出であってもよい。すなわち、抽選の結果と演出内容とは予め対応づけられ、その抽選値が得られると、演出内容は一意的に決まることになる。つまり、その対応関係が予め分かっているので、第１の抽選の結果が特別遊技への移行期待度が相対的に高いことを示す演出に対応づけられたものであるか否かを判定することができる。
【０００９】
この態様によると、第１の抽選による大当たり発生の期待度が高くなったときに、第２始動入賞口への入球を促す演出がなされ、その入球が継続されることにより大当たりが連続的に発生する期待度が高くなることが示唆される。この示唆演出により、１回分の大当たりを獲得できた可能性が高いという期待感を得た上でさらなる利益獲得を目指せるといった斬新な遊技過程を提供できる。また、第２始動入賞口への入球を目指すことが遊技者の技術介入を伴うため、遊技者の遊技意欲を高揚させることができるようになる。
【００１０】
演出決定手段は、第１保留制御手段に保留された第１の抽選の結果のうち少なくともいずれかが特別遊技への移行を示す結果となった場合に、上記示唆演出を演出内容として決定してもよい。すなわち、第１保留制御手段には上限値までの範囲で複数の抽選値が保留されることがあるが、そのとき保留されている抽選値のいずれかが大当たりである場合に上記示唆演出を行うようにする。
【００１１】
この態様によれば、上述した示唆演出がなされることが第１の抽選において大当たりが発生したことを示す。このため、１回分の大当たりを獲得することにより最低限の利益状態を確保して安堵感を得た上でさらなる利益獲得を目指せるといった遊技過程を遊技者に提供することができる。また、第１の抽選について保留数分の全ての結果をその変動開始前に前倒し的に判定して示唆演出を早期に開始できるため、遊技者の期待感を相対的に長期間保持することができるというメリットもある。
【００１２】
抽選の結果が所定条件を満たしたときに、特別遊技の終了後に第１の抽選および第２の抽選における特別遊技への移行確率を通常状態より遊技者に有利な状態へと移行する特定遊技を実行する特定遊技実行手段をさらに備えてもよい。演出決定手段は、特定遊技の実行下において、第１保留制御手段に保留された第１の抽選の結果のうち少なくともいずれかが特定遊技中であるか否かにかかわらず特別遊技への移行を示す結果であった場合に、上記示唆演出を演出内容として決定してもよい。
【００１３】
この態様によれば、第１の抽選の抽選値が特定遊技状態および通常状態のいずれにおいても大当たりとなる範囲にある場合に、第２始動入賞口への入球を促す示唆演出が行われる。すなわち、同じ抽選値であっても特定遊技状態および通常状態のいずれの状態で抽選がなされるかによって当否結果が変わりうる。このため、いずれの状態であっても第１の抽選の結果が大当たりとなる状態が確保されたときに上記示唆演出を行うようにしている。これにより、遊技者が上記示唆演出にしたがって第２始動入賞口への入球を狙った結果、第２の抽選にて大当たりが発生した場合、たとえ対応する特別遊技終了後に通常状態に戻ったとしても、先に得られた第１の抽選による大当たりについては確保することができる。したがって、上記示唆演出にしたがったために先行で確保された大当たりの利益が失われるといった不本意な事態は発生せず、遊技者は安心して第２始動入賞口への入球を狙うことができる。
【００１４】
一方、特定遊技の実行下において、このように第１の抽選にて大当たりが確保された状態で対応する図柄変動を先送りにしつつ、高確率状態のまま第２の抽選による大当たり獲得を目指せるという遊技過程を提供することができる。すなわち、第１の抽選にて発生した大当たりに対応する図柄変動が行われてしまうと、その特別遊技後に大当たり確率が高確率でない通常状態に戻る可能性がある。この態様ではそれを避けるため、第１の抽選にて確保された大当たりに対応する図柄変動を先送りにすることで大当たり確率が高い状態を保持し、その高確率状態において第２の抽選の連続させるようにする。これにより、通常状態よりも高い確率で大当たりを連続させることができ、遊技者にとって理想的な利益獲得の過程を提供することができる。
【００１５】
第１の抽選の結果が特別遊技への移行を示す結果となる確率、および第２の抽選の結果が特別遊技への移行を示す結果となる確率が、いずれも通常状態よりも特定遊技中のほうが高くなるように各抽選の抽選値とその結果との対応づけがなされていてもよい。特定遊技実行手段は、当否抽選の結果が特別遊技後の当否抽選における当たりの確率を通常状態より高めた状態である確率変動状態への移行の決定を伴う場合に、特別遊技の終了後の遊技状態を確率変動状態へ移行させるものであってもよい。
【００１６】
演出決定手段は、第１の抽選の結果が特別遊技への移行期待度が相対的に高いことを示す演出に対応づけられたものであった場合に、平均的な変動時間が相対的に短い変動パターンである短変動パターンと、平均的な変動時間が相対的に長い変動パターンである長変動パターンとを切り替えるようにして変動パターンを決定してもよい。この態様によれば、図柄変動の変動時間が通常の状態から切り替わることにより、遊技者は、第１の抽選による高期待度演出がなされる可能性が高いこと、つまり大当たりが発生した期待度が高いことを把握できる。このため、遊技者は、その期待度が高い状態を維持したまま、大当たりが連続するいわゆる連チャンを発生させるべく、第２の抽選を行う第２の遊技に集中することができる。
【００１７】
演出決定手段は、第１の抽選の結果が特別遊技への移行を示す結果となった場合に、それ以降の変動パターンとして長変動パターンを選択するようにしてもよい。その場合、その長変動パターンの選択を、第１の抽選による特別遊技への移行がなされるまで継続させてもよい。このように、相対的に長い変動パターンが選択されることにより、その変動期間内に第２始動入賞口へ入球させることが容易になり、第２の抽選の抽選値の保留を切らすことなく、遊技を継続できる可能性が高くなる。その結果、第１の抽選の大当たり変動の抽選値が消化される前に第２の抽選による大当たりを引き当てられる可能性が高まり、遊技者の打ち方次第で大当たりの連続をほぼ確実に導くことができるようになる。いわゆる連チャンの発生は、遊技者に大きな利得感を与えることができるため、遊技運営者側としても客足を留めさせることができるといったメリットがある。
【００１８】
第１抽選手段および第２抽選手段の双方が、新たな抽選が実行されたときにその抽選に対応する図柄変動表示が直ちに開始されるか否かにかかわらずその結果を演出決定手段へ送信し、演出決定手段は、保留されている各抽選値に対応する図柄変動時間をそれぞれ算出し、第１の抽選において特別遊技への移行を示す結果となった抽選値に対応する図柄変動よりも前に変動表示される図柄変動の総変動時間を残り時間として示唆するとともに、その残り時間が消化されるまでに第２の抽選の結果が特別遊技への移行を示す結果になれば特別遊技が連続することを示唆する演出を演出内容として決定してもよい。
【００１９】
この態様によれば、第１の抽選および第２の抽選の双方において上述した先読みがなされる。その結果、双方の抽選の抽選値をその図柄変動前に取得でき、第１の抽選による大当たり変動が行われる前の変動時間の推定値を容易に算出することができるようになる。上述のように、第２の抽選による図柄変動が第１の抽選による図柄変動よりも優先的に行われるため、保留中の第２の抽選のトータルの変動時間に第１の抽選にて当たりが発生する前に変動される変動時間を加算することにより、その第１の抽選の大当たり変動前の残り時間を算出することができる。この残り時間が高確率状態で第２の抽選の当たりを狙える期間、つまり連チャンを高確率で狙える期間となり、その期間が遊技者に具体的に伝えられることで、その期待感や遊技意欲をより一層高めることができる。
【００２０】
短変動パターンおよび長変動パターンのそれぞれにおいて、図柄変動時間が一定に固定された複数の変動パターンが抽選値に対応づけられ、演出決定手段は、選択した変動パターンに対応する図柄変動時間に各保留制御手段が保留する抽選値の保留数を乗算することにより、総変動時間を算出してもよい。
【００２１】
この態様によれば、大当たりの連続可能性が高まった残り時間において図柄変動時間が一定となるため、実質的に保留数を監視するだけでその残り時間を容易に算出することができるようになり、その残り時間の示唆演出の設計負担を軽減することができる。
【００２２】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００２３】
本発明の弾球遊技機によれば、遊技者の打ち方次第で得られる利益に変化が生じ得る遊技性を実現することができる。
【発明を実施するための最良の形態】
【００２４】
本実施例のぱちんこ遊技機においては、従来にいう第１種ぱちんこ遊技機に相当する遊技が複数混在する。その複数の遊技としての第１の遊技と第２の遊技とが、同時に実行されないよう第２の遊技が優先的に実行される。またこれらの遊技性を両立させるために、本実施例のぱちんこ遊技機は、複数の始動入賞口、複数の特別図柄表示装置、複数の保留ランプ、複数の大入賞口を備える。
【００２５】
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００２６】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、遊技状態などに応じた効果音が出力される。
【００２７】
遊技盤５０は、外レール５４と内レール５６により区画された遊技領域５２上に、アウト口５８、第１特別図柄表示装置７０、第２特別図柄表示装置７１、演出図柄表示装置６０、第１始動入賞口６２、第２始動入賞口６３、センター飾り６４、第１大入賞口９１、第２大入賞口９２、作動口６８、一般入賞口７２を含む。さらに遊技領域５２には、図示しない多数の遊技釘や風車などの機構が設置される。
【００２８】
第１始動入賞口６２は第１の遊技に対応する始動入賞口として設けられ、第２始動入賞口６３は第２の遊技に対応する始動入賞口として設けられる。第１始動入賞口６２および第２始動入賞口６３は、遊技球の発射強弱によっていずれかを目標にした打ち分けが可能な程度に互いに離れた位置に設けられる。たとえば、第１始動入賞口６２は遊技領域５２の左側を狙って比較的弱めに発射したときに入球しやすくなるような位置に設けられ、第２始動入賞口６３は遊技領域５２の右側を狙って比較的強めに発射したときに入球しやすくなるような位置に設けられる。
【００２９】
第１始動入賞口６２は、始動入賞検出装置７４を備える。始動入賞検出装置７４は、第１始動入賞口６２への遊技球の入球を検出するセンサであり、入球時にその入球を示す第１始動入賞情報を生成する。第２始動入賞口６３は、始動入賞検出装置７５と、普通電動役物６５と、普通電動役物６５を開閉させるための普通電動役物ソレノイド７６を備える。始動入賞検出装置７５は、第２始動入賞口６３への遊技球の入球を検出するセンサであり、入球時にその入球を示す第２始動入賞情報を生成する。普通電動役物ソレノイド７６の駆動力により普通電動役物６５が拡開されると、第２始動入賞口６３への入球容易性が高まる。また、第２始動入賞口６３は図示するとおり遊技領域５２の右側における狭い通路に設けられているので、右側を狙って強めに打球した遊技球の多くが少なくとも第２始動入賞口６３の近傍に集まるので、第２始動入賞口６３の入球可能性は高い。これに対して第１始動入賞口６２には普通電動役物が設置されておらず、しかも狭い通路から離れた位置に設けられている。したがって、第１始動入賞口６２よりも第２始動入賞口６３の方が入球可能性が相対的に高くなるような配置または構成の関係となっている。
【００３０】
一般入賞口７２は、遊技球の入球を検出するための一般入賞検出装置７３を複数備える。一般入賞検出装置７３は、一般入賞口７２への遊技球の入球を検出するセンサであり、入球時にその入球を示す一般入賞情報を生成する。
【００３１】
第１大入賞口９１は第１の遊技に対応する大入賞口として設けられ、第２大入賞口９２は第２の遊技に対応する大入賞口として設けられる。第１大入賞口９１は、遊技球の入球を検出するための入賞検出装置７８と、第１大入賞口９１を開閉させるための大入賞口ソレノイド８０を備える。入賞検出装置７８は、第１大入賞口９１への遊技球の入球を検出するセンサであり、入球時にその入球を示す第１大入賞口入賞情報を生成する。第２大入賞口９２は、遊技球の入球を検出するための入賞検出装置７９と、第２大入賞口９２を開閉させるための大入賞口ソレノイド８１を備える。入賞検出装置７９は、第２大入賞口９２への遊技球の入球を検出するセンサであり、入球時にその入球を示す第２大入賞口入賞情報を生成する。第１大入賞口９１は、第１特別図柄１９２が所定の態様にて停止したときに「大当たり」として開放状態となる横長方形状の入賞口である。第１大入賞口９１はアウト口５８の上方の位置に設けられる。第２大入賞口９２は、第２特別図柄１９３が所定の態様にて停止したときに「大当たり」として開放状態となる横長方形状の入賞口である。第２大入賞口９２はアウト口５８の右上方の位置に設けられる。
【００３２】
遊技領域５２の略中央に演出図柄表示装置６０が設けられ、その左右に第１の遊技に対応する第１特別図柄表示装置７０と第２の遊技に対応する第２特別図柄表示装置７１が設けられている。第１特別図柄表示装置７０には第１の遊技に対応する第１特別図柄１９２の変動が表示され、第２特別図柄表示装置７１には第２の遊技に対応する第２特別図柄１９３の変動が表示される。第１特別図柄１９２は、第１始動入賞口６２への遊技球の入球を契機として行われる第１の抽選の結果に対応した図柄であり、その変動表示が所定の当たり態様にて停止されたときに第１特別遊技としての大当たりが発生する。第２特別図柄１９３は、第２始動入賞口６３への遊技球の入球を契機として行われる第２の抽選の結果に対応した図柄であり、その変動表示が所定の当たり態様にて停止されたときに第２特別遊技としての大当たりが発生する。第１特別図柄表示装置７０および第２特別図柄表示装置７１は、例えば７セグメントＬＥＤで構成される表示手段であり、第１特別図柄１９２および第２特別図柄１９３はそれぞれ「０」〜「９」の１０種類の数字で表される。
【００３３】
演出図柄表示装置６０の表示領域１９４には第１特別図柄１９２に連動する装飾図柄１９０または第２特別図柄１９３に連動する装飾図柄１９０の変動が表示される。演出図柄表示装置６０は、たとえば液晶ディスプレイである。装飾図柄１９０は、第１特別図柄１９２で示される第１の抽選の結果表示または第２特別図柄１９３で示される第２の抽選の結果表示を視覚的に演出するための図柄である。演出図柄表示装置６０は、装飾図柄１９０として、例えばスロットマシンのゲームを模した複数列の図柄変動の動画像を表示領域１９４に表示する。演出図柄表示装置６０は、この実施例では液晶ディスプレイで構成されるが、機械式のドラムやＬＥＤなどの他の表示手段で構成されてもよい。なお、第１特別図柄１９２および第２特別図柄１９３は必ずしも演出的な役割をもつことを要しないため、本実施例では演出図柄表示装置６０の左下方の第１特別図柄表示装置７０および第２特別図柄表示装置７１にて目立たない大きさで表示させるが、特別図柄自体に演出的な役割をもたせて装飾図柄を表示させないような手法を採用する場合には、特別図柄を演出図柄表示装置６０のような液晶ディスプレイに表示させてもよい。
【００３４】
作動口６８は、遊技盤５０の右側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は第２始動入賞口６３の普通電動役物６５を拡開させるための抽選の契機となる。
【００３５】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。遊技球が一般入賞口７２、第１始動入賞口６２、第２始動入賞口６３、第１大入賞口９１、第２大入賞口９２の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００３６】
遊技球が第１始動入賞口６２に入球すると、第１特別図柄表示装置７０において第１特別図柄１９２が変動表示され、演出図柄表示装置６０の表示領域１９４において装飾図柄１９０が変動表示される。遊技球が第２始動入賞口６３に入球すると、第２特別図柄表示装置７１において第２特別図柄１９３が変動表示され、演出図柄表示装置６０の表示領域１９４において装飾図柄１９０が変動表示される。第１特別図柄１９２、第２特別図柄１９３、装飾図柄１９０の変動表示は、表示に先だって決定された表示時間の経過後に停止される。停止時の第１特別図柄１９２および装飾図柄１９０が大当たり態様であった場合、通常遊技よりも遊技者に有利な遊技状態である第１特別遊技に移行し、第１大入賞口９１の開閉動作が開始される。このときスロットマシンのゲームを模した装飾図柄１９０は、３つの図柄を一致させるような表示態様をとる。停止時の第２特別図柄１９３および装飾図柄１９０が大当たり態様であった場合、通常遊技よりも遊技者に有利な遊技状態である第２特別遊技に移行し、第２大入賞口９２の開閉動作が開始される。
【００３７】
第１大入賞口９１および第２大入賞口９２は、約３０秒間開放された後、または９球以上の遊技球が落入した後で一旦閉鎖される。このような第１大入賞口９１または第２大入賞口９２の開閉が所定回数繰り返される。例えば、第１大入賞口９１は第１特別遊技において４回の開閉が繰り返され、第２大入賞口９２は第２特別遊技において１５回の開閉が繰り返される。
【００３８】
特別遊技が発生した場合であって抽選などの所定の条件が満たされた場合、特別遊技の終了後に特定遊技として確率変動遊技（以下、「確変」という）や変動時間短縮（以下、「時短」という）が開始される。確変中は、通常の確率状態より大当たりの確率が高い抽選が行われ、比較的早期に新たな特別遊技が発生する。確変状態は、次の大当たりまで継続される。時短は、所定の終期、たとえば第１特別図柄１９２と第２特別図柄１９３の変動表示の合計が所定の終了条件回数、例えば１００回に達するまで継続される。時短中は、第１特別図柄１９２または第２特別図柄１９３の変動時間が概ね短縮される。
【００３９】
作動口６８を遊技球が通過すると、所定時間、普通図柄と呼ばれる図柄が普通図柄表示装置５９に変動表示される。普通図柄表示装置５９は第１大入賞口９１の右方に設けられる。所定時間の経過後に普通図柄の変動表示が所定の当たり態様にて停止すると、第２始動入賞口６３の普通電動役物６５が所定時間拡開する。通常状態においては、普通図柄が当たり態様で停止する確率は低確率に設定されるが、時短中にはその確率が高確率に変動する。そのため、通常状態においては第２始動入賞口６３の普通電動役物６５が開放される確率も低いが、時短中にはその開放される確率が高くなる。また時短中においては、普通図柄の変動表示時間が短縮されるとともに、普通電動役物６５が開放状態となる時間が相対的に長くなるよう設定される。このように、時短中以外は普通電動役物６５が開放されにくいのに対し、時短中は普通電動役物６５が開放されやすく、しかも開放される回数や開放時間も増加する。したがって、時短中であるか否かで第２始動入賞口６３への入球容易性が大きく異なり、その結果時短中であるか否かによって始動入賞口への入賞に対する出玉に大きな差が生じる。時短中は遊技者が出玉をほとんど減らさずに遊技を進行させることができるので、時短中であるか否かに応じて異なる遊技性を実現することができる。このように、時短中は第１始動入賞口６２を狙って打球するよりも第２始動入賞口６３を狙って打球する方が入球可能性が高まるので、図柄変動および抽選の回数も多くすることができる。
【００４０】
演出図柄表示装置６０の周囲には、センター飾り６４が設けられる。センター飾り６４は、遊技球の流路、演出図柄表示装置６０の保護、装飾等の機能を有する。遊技効果ランプ９０がセンター飾り６４の上部および下部に設けられ、点滅等することで演出の役割を果たす。第１の遊技に対応する第１特図保留ランプ２０は第１特別図柄表示装置７０の上方に設けられ、第２の遊技に対応する第２特図保留ランプ２１は第２特別図柄表示装置７１の上方に設けられ、普通図柄変動に対応する普図保留ランプ２２は普通図柄表示装置５９の下方に設けられる。第１特図保留ランプ２０および第２特図保留ランプ２１は、それぞれ２個のランプからなり、それぞれの点灯個数または点滅個数によって第１の遊技および第２の遊技のそれぞれにおける当否抽選値の保留数を表示する。
【００４１】
第１特図保留ランプ２０における当否抽選値の保留数は、第１特別図柄１９２の変動中、第１特別遊技の実行中、第２特別遊技の実行中のうちいずれかの間に第１始動入賞口６２へ入賞した抽選結果の個数であり、図柄変動がまだ実行されていない入賞球の数を示す。第２特図保留ランプ２１における当否抽選値の保留数は、第２特別図柄１９３の変動中、第１特別遊技の実行中、第２特別遊技の実行中のうちいずれかの間に第２始動入賞口６３へ入賞した抽選結果の個数であり、図柄変動がまだ実行されていない入賞球の数を示す。
【００４２】
普図保留ランプ２２もまた２個のランプからなり、その点灯個数または点滅個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。操作ボタン８２は、遊技者が遊技機側所定の指示を入力するために操作するボタンである。操作ボタン８２は、上球皿１５近傍の外壁面に設けられる。
【００４３】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、とくに第１始動入賞口６２、第２始動入賞口６３へ入賞したときの抽選等、遊技動作全般を処理する。サブ基板１０４は、液晶ユニット４２を備え、演出図柄表示装置６０における表示内容を制御し、特にメイン基板１０２による抽選結果に応じて表示内容を変動させる。メイン基板１０２およびサブ基板１０４は、遊技制御装置１００を構成する。セット基盤３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００４４】
図３は、本実施例におけるぱちんこ遊技機１０の機能ブロックを示す。ぱちんこ遊技機１０において、遊技制御装置１００は、第１始動入賞口６２、第２始動入賞口６３、第１大入賞口９１、第２大入賞口９２、一般入賞口７２、作動口６８、第１特別図柄表示装置７０、第２特別図柄表示装置７１、演出図柄表示装置６０、普通図柄表示装置５９、操作ボタン８２、スピーカ１８、遊技効果ランプ９０のそれぞれと電気的に接続されており、各種制御信号の送受信を可能とする。遊技制御装置１００は、遊技の基本動作だけでなく、図柄変動表示や電飾等の演出的動作も制御する。遊技制御装置１００は、遊技の基本動作や遊技の進行を含むぱちんこ遊技機１０の全体動作を制御する主制御装置としてのメイン基板１０２と、図柄の演出等を制御する副制御装置としてのサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００４５】
本実施例におけるメイン基板１０２は、入球判定手段１１０、第１抽選手段１２６、第２抽選手段１２８、普図抽選手段１３６、保留制御手段１１６、メイン表示制御手段１１８、特別遊技制御手段１２０、特定遊技実行手段１２２、開閉制御手段１２４、条件保持手段１７６を備える。本実施例におけるサブ基板１０４は、パターン記憶手段１３０、演出決定手段１３２、演出表示制御手段１３４を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００４６】
入球判定手段１１０は、各入賞口への遊技球の入球を判定する。入球判定手段１１０は、第１始動入賞情報を受け取ると遊技球が第１始動入賞口６２に入賞したと判断し、第２始動入賞情報を受け取ると遊技球が第２始動入賞口６３に入賞したと判断する。入球判定手段１１０は、第１大入賞口入賞情報を受け取ると遊技球が第１大入賞口９１に入賞したと判断し、第２大入賞口入賞情報を受け取ると遊技球が第２大入賞口９２に入賞したと判断し、一般入賞情報を受け取ると遊技球が一般入賞口７２に入賞したと判断する。入球判定手段１１０は、通過情報を受け取ると遊技球が作動口６８を通過したと判断する。
【００４７】
第１始動入賞口６２への入球に対応する第１の抽選を実行する第１抽選手段１２６は、第１抽選値取得手段１１２、第１当否判定手段１１３、第１パターン決定手段１１４を含む。第２始動入賞口６３への入球に対応する第２の抽選を実行する第２抽選手段１２８は、第２抽選値取得手段１１５、第２当否判定手段１１７、第２パターン決定手段１１９を含む。第１の抽選の結果は、第１特別図柄表示装置７０において第１特別図柄１９２の形で変動表示され、演出図柄表示装置６０の表示領域１９４において装飾図柄１９０の形で変動表示される。第２の抽選の結果は、第２特別図柄表示装置７１において第２特別図柄１９３の形で変動表示され、演出図柄表示装置６０の表示領域１９４において装飾図柄１９０の形で変動表示される。
第１抽選手段１２６および第２抽選手段１２８は、図柄変動を開始するにあたり、その図柄変動に対応する抽選の結果を演出決定手段１３２へ送信する。さらに、第１抽選手段１２６および第２抽選手段１２８は、第１始動入賞口６２または第２始動入賞口６３への入球時にも事前判定処理として抽選値が大当たりに該当するか否かの当否判定の抽選を実行し、その判定結果を抽選結果として演出決定手段１３２へ送信する。事前判定処理の結果は送信バッファに一時保存された後、その抽選に対応する図柄変動表示が直ちに開始されるか否かにかかわらず演出決定手段１３２へ送信され、送信バッファから消去または後に上書きされる。そのため、サブ基板１０４の側にとっては図柄変動開始の順番が巡ってくる前にあらかじめ当否結果を認識できる、いわゆる「先読み」と呼ばれる処理が実現される。
【００４８】
第１抽選値取得手段１１２は、第１始動入賞口６２への入球を契機に、第１の抽選のために乱数の値を第１抽選値として取得する。第２抽選値取得手段１１５は、第２始動入賞口６３への入球を契機に、第２の抽選のために乱数の値を第２抽選値として取得する。たとえば、第１抽選値および第２抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。第１抽選値取得手段１１２が取得する第１抽選値または第２抽選値は、保留制御手段１１６により一時的に保留される。ただし、保留制御手段１１６により保留される所定の保留上限数を超えない範囲で第１抽選値または第２抽選値が保留される。
【００４９】
第１当否判定手段１１３は、第１抽選値に基づき、第１特別図柄表示装置７０に表示させる停止図柄を決定するとともに通常遊技より遊技者に有利な状態である第１特別遊技へ移行するか否かを判定する当否判定を実行する。第２当否判定手段１１７は、第２抽選値に基づき、第２特別図柄表示装置７１に表示させる停止図柄を決定するとともに通常遊技より遊技者に有利な状態である第２特別遊技へ移行するか否かを判定する当否判定を実行する。停止図柄は、図柄変動の終了時に表示すべき図柄である。本実施例における第１当否判定手段１１３および第２当否判定手段１１７は、抽選値に基づいて停止図柄を決定するとともにその停止図柄の種類によって当否を判定する。
【００５０】
第１当否判定手段１１３および第２当否判定手段１１７は、特別図柄の停止図柄を決定するために参照する図柄範囲テーブルを保持する。第１特別図柄１９２または第２特別図柄１９３を決定するための図柄範囲テーブルには、「０」〜「９」の数字および「−」の記号で表される特別図柄と第１抽選値または第２抽選値との対応関係が定められている。特別図柄の種類はそれぞれ大当たりまたは外れの当否判定結果と対応付けられており、特別図柄が決定されることによって当否も判定される。例えば特別図柄が「０」〜「９」のときが大当たりであると判定され、「−」のときが外れであると判定される。第１当否判定手段１１３および第２当否判定手段１１７は、それぞれ図柄範囲テーブルを複数保持し、図柄範囲テーブルごとの大当たりの範囲設定によってそれぞれの当否確率が定まる。第１当否判定手段１１３および第２当否判定手段１１７は、通常時には通常の大当たり確率で定められた図柄範囲テーブルを参照し、確変時には通常時より大当たり確率の高い図柄範囲テーブルを参照する。このように第１当否判定手段１１３および第２当否判定手段１１７は、遊技状態に応じて複数の図柄範囲テーブルのうちいずれかを参照して当否を判定する。なお、本実施例においては特別図柄と当否を同じ抽選値に基づいて決定するが、変形例においてはそれぞれを別個の抽選値に基づいて決定する構成としてもよい。
【００５１】
第１パターン決定手段１１４は、第１特別図柄表示装置７０および演出図柄表示装置６０に表示させる図柄変動の表示過程が定められた変動パターンを第１抽選値に基づいて複数の変動パターンの中から決定する。第２パターン決定手段１１９は、第２特別図柄表示装置７１および演出図柄表示装置６０に表示させる図柄変動の表示過程が定められた変動パターンを第２抽選値に基づいて複数の変動パターンの中から決定する。第１パターン決定手段１１４および第２パターン決定手段１１９は、変動パターンを決定するために参照するパターン決定テーブルをそれぞれ複数保持する。変動パターンには、特別図柄を変動表示させるときの変動開始から停止までの変動態様が定められており、その種類によって長短様々な変動時間をもつ。すなわち、各変動パターンには、その図柄変動の終了条件としてパターンごとに変動表示時間（以下、「図柄変動時間」ともいう）が定められており、その変動表示時間の経過時に特別図柄の変動が停止される。
【００５２】
普図抽選手段１３６は、作動口６８を遊技球が通過したときに抽選値を取得することにより抽選を実行する。普図抽選手段１３６による抽選の結果は、普通図柄表示装置５９において普通図柄の形で変動表示される。普図抽選手段１３６は、普通図柄表示装置５９に表示させる普通図柄の停止図柄を決定するために参照すべき図柄範囲テーブルを保持する。その図柄範囲テーブルには抽選値と普通図柄の対応関係が定められており、普図抽選手段１３６は普通図柄の停止図柄を図柄範囲テーブルを参照して決定する。決定された停止図柄が所定の図柄となった場合に普通図柄が当たりに該当したと判定され、その停止図柄にて普通図柄の変動表示が停止された後に開閉制御手段１２４が第２始動入賞口６３の普通電動役物６５を所定時間拡開する。普通図柄の抽選値は、保留制御手段１１６により一時的に保留される。ただし、保留制御手段１１６により保留される所定の保留上限数を超えない場合にだけ抽選値が保留される。
【００５３】
保留制御手段１１６は、第１保留手段１４４、第２保留手段１４６、普図保留手段１４７を含む。第１保留手段１４４は、新たに第１の抽選が実行されるときにそれ以前の抽選に対応する図柄変動が表示されている場合、新たな第１の抽選の結果をその抽選に対応する図柄の変動表示開始まで保留する。本実施例では第１の抽選の結果として４個を上限として当否抽選値を保持するが、その当否抽選値の当否判定結果とともに保持してもよい。あるいは、当否抽選値とは別の領域に事前判定の結果を保持してもよい。第２保留手段１４６は、新たに第２の抽選が実行されるときにそれ以前の抽選に対応する図柄変動が表示されている場合、新たな第２の抽選の結果をその抽選に対応する図柄の変動表示開始まで保留する。本実施例では第２の抽選の結果として４個を上限として当否抽選値を保持するが、その当否抽選値の当否判定結果とともに保持してもよい。あるいは、当否抽選値とは別の領域に事前判定の結果を保持してもよい。普図保留手段１４７は、普図抽選手段１３６により取得された普図抽選値を保留球として保持する。これらの保留数がそれぞれ第１特図保留ランプ２０、第２特図保留ランプ２１、普図保留ランプ２２の点灯数または点滅数により表される。第１保留手段１４４および第２保留手段１４６による保留の数は表示領域１９４にも表示される。
【００５４】
メイン表示制御手段１１８は、第１特図制御手段１４８、第２特図制御手段１５０、普図制御手段１５３を含む。第１特図制御手段１４８は、第１抽選手段１２６による抽選の結果として決定された変動パターンにしたがって第１特別図柄１９２の変動表示として第１特別図柄表示装置７０に表示させる。第２特図制御手段１５０は、第２抽選手段１２８による抽選の結果として決定された変動パターンにしたがって第２特別図柄１９３の変動表示として第２特別図柄表示装置７１に表示させる。第１特図制御手段１４８および第２特図制御手段１５０は、第１特別図柄１９２および第２特別図柄１９３の変動表示を開始するタイミングと停止するタイミングにて、変動開始コマンドと変動停止コマンドを演出表示制御手段１３４へ送信する。これにより、メイン表示制御手段１１８および演出表示制御手段１３４による変動表示が同期し、連動が保たれる。普図制御手段１５３は、普図抽選手段１３６による抽選の結果を普通図柄の変動表示として普通図柄表示装置５９に表示させる。
【００５５】
条件保持手段１７６は、大入賞口の開放を伴う単位遊技を複数回含む特別遊技へ移行するための条件として特別遊技作動条件を保持する。特別遊技作動条件は、第１の抽選または第２の抽選で特別遊技へ移行する旨を示す結果となり、その抽選に対応する図柄変動が停止したことを条件の内容とする。
【００５６】
特別遊技制御手段１２０は、第１抽選手段１２６による第１抽選が特別遊技への移行を示す結果となった場合、第１特別図柄１９２が所定の大当たり態様で停止されたときに特別遊技作動条件が成立したと判定し、第１大入賞口９１を開放させることにより第１特別遊技を実行する。同様に、特別遊技制御手段１２０は、第２抽選手段１２８による第２抽選が特別遊技への移行を示す結果となった場合、第２特別図柄１９３が所定の大当たり態様で停止されたときに特別遊技作動条件が成立したと判定し、第２大入賞口９２を開放させることにより第２特別遊技を実行する。特別遊技は、第１大入賞口９１または第２大入賞口９２の開閉動作を複数回数連続して継続する遊技であり、１回の開閉を単位とした複数回の単位遊技で構成される。１回の単位遊技において第１大入賞口９１または第２大入賞口９２を原則として約３０秒間開放させる。第１特別遊技の場合は単位遊技が４回繰り返され、第２特別遊技の場合は単位遊技が１５回繰り返されるので、第１特別遊技と比べて第２特別遊技の方が得られる賞球が多く遊技者の利益が大きい。特別遊技制御手段１２０は、単位遊技の設定ラウンド数を消化したときに特別遊技を終了させる。
【００５７】
特定遊技実行手段１２２は、確変および時短の状態における通常遊技を制御する。特定遊技実行手段１２２は、確変移行条件が成立した場合に通常遊技の遊技状態を確変状態へ移行させる。確変状態は原則として次の大当たりが発生するまで続行され、その間は第１当否判定手段１１３および第２当否判定手段１１７による当たり判定の確率が高い値のまま維持される。確変移行条件は、第１の抽選または第２の抽選において確率変動状態への移行を伴う大当たり（「確変当たり」ともいう）となった場合であって、その特別遊技が終了したことを条件の内容とする。
【００５８】
特定遊技実行手段１２２は、また、特別遊技が終了するたびに通常遊技の遊技状態を時短状態へ移行させる。その間は第１特別図柄１９２および第２特別図柄１９３の変動表示時間が概ね短くなるよう、第１抽選手段１２６および第２抽選手段１２８が変動時間の短い変動パターンを選択する。時短状態は、第１特別図柄１９２および第２特別図柄１９３の変動表示回数の合計が所定の終了条件回数、たとえば１００回に達するまで継続される。
【００５９】
開閉制御手段１２４は、第２始動入賞口６３の普通電動役物６５や第１大入賞口９１、第２大入賞口９２の開閉を制御する。開閉制御手段１２４は、普通図柄が特定の態様で停止されると、普通電動役物ソレノイド７６に開放指示を送り、第２始動入賞口６３の普通電動役物６５を開放させる。開閉制御手段１２４は、特別遊技において、大入賞口ソレノイド８０または大入賞口ソレノイド８１に開放指示を送り、第１大入賞口９１または第２大入賞口９２を開放させる。
【００６０】
パターン記憶手段１３０は、装飾図柄の変動パターンとして複数の変動パターンデータを保持する。演出決定手段１３２は、第１抽選手段１２６または第２抽選手段１２８により決定された装飾図柄１９０の変動パターンをパターン記憶手段１３０から選択する。演出決定手段１３２は、装飾図柄１９０の停止図柄の組合せを第１抽選手段１２６または第２抽選手段１２８から受け取る特別図柄の停止図柄および変動パターンに基づいて決定する。
【００６１】
装飾図柄１９０の停止図柄は、３つの図柄の組合せとして形成され、たとえば第１抽選手段１２６または第２抽選手段１２８による当否判定結果が特別遊技への移行を示す場合は「７７７」や「１１１」のように３つの図柄が揃った組合せが選択される。この場合、装飾図柄１９０として揃える数字には、第１特別図柄１９２や第２特別図柄１９３と同じ数字が選ばれるのが好ましい。たとえば、第１特別図柄１９２または第２特別図柄１９３が「３」の場合は装飾図柄１９０が「３３３」となる。第１抽選手段１２６または第２抽選手段１２８による当否判定結果が特別遊技へ移行しない旨を示す場合は、「３１２」や「９４６」のように３つの図柄が揃っていない組合せが選択される。当否判定結果が特別遊技へ移行しない旨を示す場合であって、リーチ付きの外れを示す特別図柄の変動パターンが選択された場合は、「１９１」や「７２７」のように一つだけ図柄が揃っていない組合せを選択する。演出決定手段１３２は、装飾図柄１９０の停止図柄組合せと装飾図柄の変動パターンデータを演出表示制御手段１３４へ送る。
【００６２】
装飾図柄の変動パターンには、装飾図柄の変動表示態様、すなわち装飾図柄の変動開始から変動停止までの演出過程が定義される。変動パターンには、通常の外れ図柄を表示するときのパターンと、あと一つ図柄が揃えば大当たりとなるリーチ状態を経て外れ図柄を表示するときのパターンと、リーチ状態を経て大当たり図柄を表示するときのパターンが含まれる。特に、リーチ状態を経るときのパターンとしては、長短様々な変動時間をもつパターンが含まれる。各変動パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい装飾図柄の変動パターンを選択する。
【００６３】
演出表示制御手段１３４は、第１演出制御手段１６８および第２演出制御手段１７０を含む。演出表示制御手段１３４は、遊技効果ランプ９０の点灯および消灯や、スピーカ１８からの音声出力などの演出処理をさらに制御する。第１演出制御手段１６８および第２演出制御手段１７０は、第１抽選手段１２６による第１の抽選の結果または第２抽選手段１２８による第２の抽選の結果を、選択された変動パターンデータにしたがって装飾図柄１９０として演出図柄表示装置６０の表示領域１９４に変動表示させる。このように演出表示制御手段１３４は、装飾図柄１９０の変動表示を含む図柄変動演出を演出図柄表示装置６０に表示させる。
【００６４】
演出決定手段１３２は、確変中において、第１保留手段１４４に保留された第１の抽選の結果が確変中であるか否かにかかわらず第１特別遊技への移行を示す結果となった場合に、第２始動入賞口６３への入球を促し、その入球により特別遊技へ連続的に移行する期待度が高まることを示唆する示唆演出を演出内容として決定する。遊技者は、この示唆演出にしたがって第２始動入賞口６３への入球を進めることにより、比較的高い確率で第２特別遊技と第１特別遊技とを連続的に発生させる（いわゆる連チャンを発生させる）ことができるようになる。この示唆演出の詳細については後述する。
【００６５】
図４は、演出図柄表示装置に表示される示唆演出の画面例を表す図である。  
演出図柄表示装置６０の表示領域１９４には、その略中央の領域に装飾図柄１９０が変動表示される他、その周囲の領域に特定遊技の状態報知画像２００、第１保留画像２０２、第２保留画像２０４、示唆画像２０６等が表示される。図示の例では、表示領域１９４の右上の領域に、状態報知画像２００として「確変中」の文字が表示されている。現在の遊技状態が時短中である場合には、さらに「時短中」の文字を表示させてもよい。
【００６６】
表示領域１９４の左下の領域には、第１保留画像２０２として第１保留手段１４４により保持される第１の抽選の抽選値（第１抽選値）の保留数がランプ画像の形で表示される。図示の例では、その保留数の上限値と同数（本実施例では４つ）のランプ画像のうち、現在の保留数に相当する３つのランプが点灯表示されている。表示領域１９４の右下の領域には同様に、第２保留画像２０４として第２保留手段１４６により保持される第２の抽選の抽選値（第２抽選値）の保留数がランプ画像の形で表示される。図示の例では、その保留数の上限値と同数（本実施例では４つ）のランプ画像のうち、現在の保留数に相当する２つのランプが点灯表示されている。さらに、装飾図柄１９０が第１の抽選の結果または第２の抽選の結果のいずれを変動表示させているのかを明示するために、変動表示されている側の保留画像がハイライト表示される。図示の例では、装飾図柄１９０により第１の抽選の結果が変動表示されているため、第１保留画像２０２がハイライト表示されている。なお、本実施例では、第１の抽選において当たりが発生した場合、これを遊技者に報知するために第１保留画像２０２のランプ画像を用いた特殊画像が表示されるが、これについては後に詳述する。
【００６７】
表示領域１９４における第２保留画像２０４の直上には、確変中に第１の抽選が当たりとなった場合に、示唆画像２０６として、大当たりの連続を狙うために確保可能な残り時間を示唆する演出画像が表示される。図示の例では、その演出画像としての爆弾画像が表示され、その導火線の長さにより残り時間が示唆されている。この演出画像の詳細については後述する。
【００６８】
ここで、本実施例において特徴的な示唆演出の詳細について説明する。本実施例では、確変中に第１の遊技にて大当たりが発生したことを条件に、遊技者の打ち方次第で大当たりが連続する（いわゆる連チャンが発生する）可能性が高まることを示唆する示唆演出が行われる。
【００６９】
すなわち、確変中に第１の抽選が当たりになると、少なくともその抽選に対応した当たり図柄変動が行われるか、または第２の抽選による当たり図柄変動が行われるまでは確変状態が保持される。言い換えれば、いずれかの当たりが確変当たりでない場合、対応する特別遊技後に通常状態に戻ってしまうため、確変中に大当たりを連続して狙うのが遊技を有利に進めるうえで好ましい。そこで、本実施例では、確変中に実行されたいずれかの第１の抽選の結果に当たりが含まれる場合にその旨を報知するとともに、第１特別遊技へ移行する前の現在のトータルの保留数から、その第１の抽選による当たり変動よりも前に変動表示される図柄変動の総変動時間を残り時間として示唆する演出を行う。遊技者は、この残り時間において第２始動入賞口６３を狙うことにより、高確率状態で効率よく大当たりの連チャンを発生させることができる。
【００７０】
まず、示唆演出の具体例を示す前に、前提技術として用いる優先消化処理の具体例について説明する。図５は、優先消化処理の例を表すタイミングチャートである。同図は上段から順に各抽選値の保留タイミング、図柄の変動状態を表し、横軸は時間の経過を表している。便宜上、第１の遊技に関する状態をＡおよびａで表し、第２の遊技に関する状態をＢおよびｂで表している。ここで、大文字のＡよびＢは抽選値を表し、小文字のａおよびｂは図柄変動を表している。
【００７１】
図示の例では、第１保留手段１４４および第２保留手段１４６のいずれにも抽選値が保留されていない状態から時刻ｔ１において第１始動入賞口６２に入球したため、第１保留手段１４４により第１抽選値Ａ１が保留されている。その結果、その第１抽選値Ａ１の結果を表す図柄変動ａ１が行われている。第１抽選値Ａ１は、図柄変動ａ１の開始とともに消化される。一方、図柄変動ａ１の変動期間においてさらに時刻ｔ２に第１始動入賞口６２に入球し、時刻ｔ３に第２始動入賞口６３に入球したため、第１保留手段１４４により第１抽選値Ａ２が保留され、第２保留手段１４６により第２抽選値Ｂ１が保留されている。上述のように、第１抽選値よりも第２抽選値が優先的に消化されるため、図柄変動ａ１の後に第１抽選値Ａ２の結果を表す図柄変動ａ２ではなく、第２抽選値Ｂ１の結果を表す図柄変動ｂ１が行われている。
【００７２】
さらに、図柄変動ｂ１の変動期間に第１抽選値Ａ３、第２抽選値Ｂ２が保留されている。この場合も第１抽選値Ａ２，Ａ３の変動を先送りにして第２抽選値Ｂ２の結果を表す図柄変動ｂ２が優先的に開始され、その第２抽選値Ｂ２が消化されている。そして、この図柄変動ｂ２の変動期間に保留された第１抽選値Ａ４の結果が当たりとなっている。図示のように図柄変動ｂ２の変動期間に第１保留手段１４４による保留がなくなると、第１抽選値Ａ２の結果を表す図柄変動ａ２が行われる。このように、第１抽選値よりも第２抽選値が優先的に消化される優先消化処理が行われ、第２抽選値が保留されている限り、第１抽選値よりも優先して消化される。本実施例では、このような優先消化によって第１抽選値の消化を先送りできることを利用した示唆演出が行われる。
【００７３】
図６は、表示領域に表示される示唆演出の具体例を表す図である。同図（ａ）〜（ｆ）は、第１保留画像２０２として表示されうる演出画像の変化の一例を表している。  
同図（ａ）および（ｂ）には、第１始動入賞口６２への入球により保留数が増加する様子が示されている。そして、同図（ｃ）に示すように、３つめの保留が入ったときに第１抽選値が当たりであったため、当たりを示唆する特殊画像として、ランプ画像を用いた犯人キャラクタの顔画像（以下、「犯人画像」という）２１０が出現している。なお、本実施例では、確変中に実行された第１抽選値が、確変中であるか否かにかかわらず当たりとなる値範囲（以下、便宜的に「当たり確定範囲」ともいう）にある場合にのみ、犯人画像２１０が表示される。このとき、同時に第１保留画像２０２の左方に別の特殊画像として独房と手錠の画像（以下、「檻画像」という）２１２が表示される。本実施例においては、確変中に第１の抽選が大当たりとなったときにのみ、犯人画像２１０および檻画像２１２が表示される。これらの画像が表示されると、遊技者は、大当たりの連チャンを発生させるチャンスが訪れていることを把握することができる。
【００７４】
犯人画像２１０は、第１の抽選による大当たり発生の有無とその位置（タイミング）を表している。第１保留画像２０２の４つのランプ画像は、第１保留手段１４４による第１抽選値の保留が追加されるごとに、左方から順次追加点灯され、保留が消化されるごとに右方から消灯される。演出上は、そのランプ画像が左端側から順次消化されてその点灯状態が左方へシフトするように表示される。したがって、保留数が３つの状態から第１抽選値が１つ消化されると、同図（ｄ）に示すように、犯人画像２１０が左にシフトし、檻画像２１２に近づくようになる。保留された第１抽選値がさらに１つ消化されると同時に、第２始動入賞口６３へのさらなる入球があると、同図（ｅ）に示すように、犯人画像２１０が第１保留画像２０２の左端に到り、檻画像２１２の間近に表示される。また、新たな第１抽選値の保留を表すランプ画像が犯人画像２１０の右側に点灯表示される。
【００７５】
このとき、第１抽選値があと一つ消化されると、犯人画像２１０に対応する第１抽選値に基づく当たり図柄変動が開始されることになる。本実施例では、この当たり図柄変動が開始される前に、第２始動入賞口６３への入球を促し、できるだけ第２の遊技にかかる図柄変動をさせて大当たりを連続させる遊技性を創出する。このため、この当たり図柄変動までの残り時間を具体的に示唆する後述する示唆演出を行う。ここでは、その示唆演出にも関連づけ、第１抽選値に基づく当たり図柄変動が開始されるか否か、開始されるまでにどの程度の余裕があるかを犯人画像２１０の位置にて示唆している。
【００７６】
このため、同図（ｅ）に示すように、犯人画像２１０が左端にシフトされたときには、犯人画像２１０としてそれまでの平静した顔つきから焦燥した顔つきに変化したものが表示される。その第１抽選値に基づく当たり図柄変動が開始されると、同図（ｆ）に示されるように檻画像２１２に犯人画像２１０が収監された演出画像が表示され、遊技者に当たり図柄変動が開始されたことが報知される。この表示がなされる前は、確変による高確率状態が確保されているため、第２始動入賞口６３への入球を狙うことにより比較的高確率で第２特別遊技へ移行させることができる。
【００７７】
図７は、表示領域に表示される示唆演出の具体例を表す図である。同図（ａ）〜（ｃ）は、示唆画像２０６として表示されうる演出画像の例を表している。  
上述のように、大当たりの連続を高確率状態で狙う期間として確保可能な残り時間を遊技者に示唆する示唆演出がなされる。この示唆演出においては、現段階で保留されている各抽選値に対応する図柄変動時間を先読み情報から取得し、第１の抽選による当たり図柄変動よりも前の図柄変動の総変動時間を算出し、その残り時間の推測値として示唆する。後述するように、確変中において第１の抽選が当たりになると、図柄の変動パターンを決定するための特殊なパターン決定テーブルが用いられる。この特殊なパターン決定テーブルは、それぞれ図柄変動時間が一定に固定された複数の変動パターンを含む複数の限定テーブルからなる。後述のように、本実施例では３つの限定テーブルが設定され、それぞれ図柄変動時間が１０秒、５秒、３秒に設定されている。第１保留手段１４４が保留した第１抽選値が当たりであった場合、対応する図柄情報に基づき、変動パターンを決定するに際していずれかの限定テーブルが選択される。この限定テーブルは、テーブル選択用の抽選により選択するようにしてもよいし、当否抽選の結果や決定された図柄、あるいは遊技状態に応じて選択するようにしてもよい。本実施例では後述のように、決定された図柄の種類に応じて３つの限定テーブルのうちいずれかが選択される。確変中においてなされた第１の抽選の結果である第１抽選値が、確変中であるか否かにかかわらず当たりとなる当たり確定範囲にあった場合、それ以降、示唆画像２０６として爆弾画像が表示され、その導火線の長さにより残り時間が示唆される。
【００７８】
限定テーブルとして図柄変動時間が短い短変動パターンテーブルが選択されると、同図（ａ）に示す示唆画像２０６ａが表示される。同図には、第１の抽選の結果として上記当たり確定範囲にある第１抽選値が取得され、それよりも前に変動される抽選値の変動として、図柄変動ａ１，図柄変動ａ２，図柄変動ｂ１，図柄変動ｂ２が確保されている様子が例示されている。すなわち、この例では、第１保留手段１４４により第１抽選値Ａ１，第１抽選値Ａ２および第１抽選値Ａ３が保留される一方、第２保留手段１４６により第２抽選値Ｂ１，第２抽選値Ｂ２が保留されている。そして、第１抽選値Ａ３が上記当たり確定範囲にある当たり（確変中であるか否かにかかわらず第１特別遊技への移行が確保された当たり）となっている。上述したように、各抽選値が取得されたタイミングと、第１抽選値よりも第２抽選値が優先消化される関係で、図柄変動ａ１，図柄変動ｂ１，図柄変動ｂ２，図柄変動ａ２の順に変動が開始されるよう、導火線の燃焼順序が設定されている。仮にこの状態で抽選値が取得されない場合、図柄変動ａ２が終了した時点で爆弾が爆発する演出画像が表示されるとともに、第１抽選値Ａ３による図柄変動ａ３が開始されることになる。各図柄変動が短変動（本実施例では３秒）であるため、導火線の長さが短くなっている。
【００７９】
限定テーブルとして図柄変動時間が中程度の中変動パターンテーブルが選択されると、同図（ｂ）に示す示唆画像２０６ｂが表示される。図示の例では、第１抽選値Ａ１の保留が消化された場合が示されている。すなわち、図柄変動ａ１の開始により第１抽選値Ａ１が消化され、第１抽選値Ａ２，第１抽選値Ａ３，第２抽選値Ｂ１，第２抽選値Ｂ２が保留状態にある状態が示されている。各図柄変動が中程度の変動（本実施例では５秒）であるため、導火線の長さがやや長くなっている。
【００８０】
限定テーブルとして図柄変動時間が長い長変動パターンテーブルが選択されると、同図（ｃ）に示す示唆画像２０６ｃが表示される。図示の例では、第１抽選値Ａ１および第２抽選値Ｂ１の保留が消化された場合が示されている。すなわち、図柄変動ａ１，ｂ２の開始により既に第１抽選値Ａ１，第２抽選値Ｂ１が消化され、さらに第２抽選値Ｂ２が消化されて図柄変動ｂ２が開始されている。各図柄変動が長変動（本実施例では１０秒）であるため、導火線の長さが長くなっている。
【００８１】
いずれの限定テーブルが選択された場合も、導火線の燃える進行速度は単位長さあたり等しく設定されている。このため、導火線が燃え尽きるまでの残り時間は、その導火線の全長に比例し、図柄変動時間が長い限定テーブルが選択されるほど、第２抽選値の保留数（第１の抽選において当たりが発生する前の第１抽選値（外れの第１抽選値）が保留されていれば、その保留数を含む）が多いほど長くなる。
【００８２】
図８および図９は、第１パターン決定手段１１４および第２パターン決定手段１１９が変動パターンを決定する際に用いるパターン決定テーブルのデータ構造図である。図９は上述した限定テーブルを概念的に示し、図８は限定テーブルではない通常テーブルを概念的に示している。なお、実際には図示のものよりも多種多様な変動パターンが存在するが、ここでは説明を分かりやすくするために模式的な表記に留めている。実際には、各変動パターンがさらに細分化されているが、その詳細については図示を省略する。
【００８３】
第１パターン決定手段１１４および第２パターン決定手段１１９は、変動パターンを決定する際に上述したパターン決定テーブルを用いる。このパターン決定テーブルの内容を示すパターンデータは、パターン記憶手段１３０に保持されている。つまり、第１パターン決定手段１１４および第２パターン決定手段１１９が決定した変動パターンの情報が演出決定手段１３２に送信され、演出決定手段１３２が対応する装飾図柄の変動パターンを決定することになる。このパターン決定テーブルには、当否抽選の結果が当たり、外れのそれぞれに対応して、確変中に選択される変動パターン、確変中でない通常状態（「非確変」ともいう）にて選択される変動パターンが設定されている。確変中において、第１の抽選において当否抽選の結果である第１抽選値が上述した当たり確定範囲にあった場合、図９に示すいずれかの限定テーブルが選択される。一方、それ以外の場合には、図８に示す通常テーブルが選択される。
【００８４】
図８に示すように、通常テーブルにおいては、第１の抽選および第２の抽選のそれぞれについて、抽選値の保留数に応じた変動パターンテーブルが設定されている。保留数がゼロの場合にはテーブルＡが選択され、保留数が１つの場合にはテーブルＢが選択され、保留数が２つの場合にはテーブルＣが選択される。なお、ここでいう保留数がゼロの場合とは、各保留手段により抽選値が保留されていない状態で対応する始動入賞口への入球があったために図柄変動が開始されるような場合が該当する。いずれのテーブルにも変動時間が６０秒までの種々の変動パターンが選択可能となっている。例えば、リーチ状態を経ないリーチなしパターン、背景画像の変化がないノーマルリーチを経るリーチ変動パターン、背景図柄を変化させるなどして変動時間が比較的長いスーパーリーチを経るリーチ変動パターン等が設定されている。第１パターン決定手段１１４および第２パターン決定手段１１９は、それぞれ第１抽選値、第２抽選値の値に基づいていずれかの変動パターンを決定する。
【００８５】
一方、保留数が３つになると、変動時間が１０秒までと比較的短い変動パターンを選択対象とするテーブルＤが選択され、保留数が上限値である４つの場合には、変動時間が５秒までとさらに短い変動パターンを選択対象とするテーブルＥが選択される。このように、保留数が少ないほど平均的な変動時間は長くなり、逆に保留数が多いほど平均的な変動時間は短くなる。このような保留数ごとの抽選値と変動パターンの対応関係を用いることにより、保留数が少なくなったときに変動時間の長い変動パターンが選択されやすくなる制御を実現することができる。なお、この変動時間の長さに応じて変動パターンの種類も制約を受けることになるが、その具体的内容については説明を省略する。
【００８６】
一方、図９に示すように、本実施例では限定テーブルとして３種類のパターンテーブルが設定されている。限定テーブル２２０は、短変動パターンテーブルとなっており、選択対象となる変動パターンＡ１，Ｂ１，Ｃ１，Ｄ１，Ｅ１の変動時間が、保留数にかかわらずいずれも３秒となっている。この短変動の変動パターンが選択されると、演出画像として図７（ａ）に示した示唆画像２０６ａとその背景画像が表示される。変動パターンによって背景画像が異なるように設定されている。限定テーブル２２２は、中変動パターンテーブルとなっており、選択対象となる変動パターンＡ２，Ｂ２，Ｃ２，Ｄ２，Ｅ２の変動時間が、保留数にかかわらずいずれも５秒となっている。この中変動の変動パターンが選択されると、演出画像として図７（ｂ）に示した示唆画像２０６ｂとその背景画像が表示される。変動パターンによって背景画像が異なるように設定されている。さらに、限定テーブル２２４は、長変動パターンテーブルとなっており、選択対象となる変動パターンＡ３，Ｂ３，Ｃ３，Ｄ３，Ｅ３の変動時間が、保留数にかかわらずいずれも１０秒となっている。この長変動の変動パターンが選択されると、演出画像として図７（ｃ）に示した示唆画像２０６ｃとその背景画像が表示される。変動パターンによって背景画像が異なるように設定されている。なお、変動パターンとしてリーチ変動パターンなどを設定するか否かは、変動時間との兼ね合いにより適宜設定することができる。  
本実施例において、演出決定手段１３２は、第１抽選手段１２６から送られた先読み情報のうち、例えば図柄の情報に基づいて３種類の限定テーブルのうちいずれを選択する。例えば「０〜９」の図柄のうち、「０〜３」であれば限定テーブル２２０を選択し、「４〜８」であれば限定テーブル２２２を選択し、「９」であれば限定テーブル２２４を選択する。なお、変形例においては、３つの限定テーブルが均等な確率で選択されるように図柄と限定テーブルとの対応関係を割り振ってもよい。また、図柄の情報ではなく、遊技状態等に基づいて限定テーブルを選択するようにしてもよい。
【００８７】
上述のように、確変中において第１の抽選が第１特別遊技への移行を示す結果となった場合であって、その第１抽選値が確変中であるか否かにかかわらず当たりとなるものであった場合に、パターン決定テーブルが通常テーブルから限定テーブルに切り替えられる。これにより、その期間は保留数にかかわらず変動時間が固定されるため、残り時間の算出が容易になる。いずれの限定テーブルを用いるかは、例えばテーブル専用の抽選やそのときの遊技状態により決定することができる。長変動パターンテーブルが選択されると保留数の減少が抑制されるため、第２抽選値の保留を切らす可能性が低くなり、遊技者にとって比較的有利な状態となる。
【００８８】
図１０は、ぱちんこ遊技機における基本的な動作過程を示すフローチャートである。    まず、遊技球が第１始動入賞口６２、第２始動入賞口６３、一般入賞口７２、第１大入賞口９１、第２大入賞口９２などへ入賞した場合の処理を実行し（Ｓ１０）、通常遊技中であれば（Ｓ１２のＹ）、図柄変動などの通常遊技の制御処理を実行し（Ｓ１４）、通常遊技中でなければ（Ｓ１２のＮ）、特別遊技の制御処理を実行する（Ｓ１６）。その後、Ｓ１０の入賞処理においてセットされた賞球数にて各種入賞に応じた賞球払出を処理する（Ｓ１８）。
【００８９】
図１１は、図１０におけるＳ１０の入賞処理を詳細に示すフローチャートである。  
第１始動入賞口６２または第２始動入賞口６３に入球があった場合（Ｓ２０のＹ）、始動入賞口に対応する賞球数をセットする（Ｓ２２）。第１始動入賞口６２への入球であれば第１保留手段１４４による保留数が４未満であるか否かを参照し、第２始動入賞口６３への入球であれば第２保留手段１４６による保留数が４未満であるか否かを参照し、それぞれにさらなる保留が可能な状態であれば（Ｓ２４のＹ）、当否抽選値を取得する（Ｓ２６）。その当否抽選値に基づいて当否判定する事前判定処理を実行し（Ｓ２８）、当否抽選値を第１保留手段１４４または第２保留手段１４６に保留する（Ｓ３０）。Ｓ２０において第１始動入賞口６２または第２始動入賞口６３への入球がない場合はＳ２２からＳ３０までの処理をスキップする（Ｓ２０のＮ）。Ｓ２４において保留数が上限に達していてさらなる保留が不可能な場合はＳ２６からＳ３０までの処理をスキップする（Ｓ２４のＮ）。以上のＳ２０からＳ３０までの処理が始動入賞口への入球に対する入賞処理である。
【００９０】
一般入賞口７２に入球があった場合は（Ｓ３２のＹ）、一般入賞口７２に対応する賞球数をセットし（Ｓ３４）、一般入賞口７２への入球がないときはＳ３４をスキップする（Ｓ３２のＮ）。第１大入賞口９１または第２大入賞口９２に入球があった場合は（Ｓ３６のＹ）、第１大入賞口９１または第２大入賞口９２に対応する賞球数をセットし（Ｓ３８）、第１大入賞口９１および第２大入賞口９２への入球がないときはＳ３８をスキップする（Ｓ３６のＮ）。
【００９１】
図１２は、図１１におけるＳ２８の事前判定処理を詳細に示すフローチャートである。  当否抽選値が外れの値に該当する場合は（Ｓ４０のＹ）、第１当否判定手段１１３であれば第１特別図柄１９２を仮決定し（Ｓ４２）、第２当否判定手段１１７であれば第２特別図柄１９３を仮決定する（Ｓ４２）。また、第１パターン決定手段１１４であれば第１特別図柄１９２の変動パターンとして外れ用変動パターンテーブルからいずれかの変動パターンを仮決定し（Ｓ４４）、第２パターン決定手段１１９であれば第２特別図柄１９３の変動パターンとして外れ用変動パターンテーブルからいずれかの変動パターンを仮決定する（Ｓ４４）。この場合、既に後述する限定テーブルが選択されていれば、その限定テーブルに対応する外れ用変動パターンテーブルから変動パターンが仮決定され、限定テーブルでない後述する通常テーブルが選択されていれば、その通常テーブルに対応する外れ用変動パターンテーブルから変動パターンが仮決定される。
第１当否判定手段１１３が当否判定した第１抽選値が当たりの値に該当する場合であって、その値が確変中であるか否かを問わずに当たりの範囲に含まれる値（以下、便宜的に「当たり確定第１抽選値」ともいう）である場合（Ｓ４０のＮ，Ｓ４６のＹ）、第１パターン決定手段１１４および第２パターン決定手段１１９は、それ以降に参照するパターン決定テーブルを限定テーブルに切り替える（Ｓ４７）。既に限定テーブルに切り替えられていれば、その限定テーブルをそのまま選択対象としておく。そして、第１当否判定手段１１３が第１特別図柄１９２として第１図柄抽選値に応じていずれかの大当たり図柄を仮決定し（Ｓ４８）、第１パターン決定手段１１４が第１特別図柄１９２の変動パターンを仮決定する（Ｓ５０）。この場合、限定テーブルに対応する当たり用変動パターンテーブルからいずれかの変動パターンが仮決定される。
第１当否判定手段１１３が当否判定した第１抽選値が当否抽選値が確変中の場合にのみ当たりの範囲に含まれる値である場合、または第２当否判定手段１１７が当否判定した第２抽選値が当たりの場合である場合（Ｓ４０のＮ，Ｓ４６のＮ）、第１当否判定手段１１３であれば第１特別図柄１９２として第１図柄抽選値に応じていずれかの大当たり図柄を仮決定し、第２当否判定手段１１７であれば第２特別図柄１９３として第２図柄抽選値に応じていずれかの大当たり図柄を仮決定する（Ｓ５２）。また、第１パターン決定手段１１４であれば第１特別図柄１９２の変動パターンとして当たり用変動パターンテーブルからいずれかの変動パターンを仮決定し（Ｓ５４）、第２パターン決定手段１１９であれば第２特別図柄１９３の変動パターンとして当たり用変動パターンテーブルからいずれかの変動パターンを仮決定する（Ｓ５４）。この場合も、既に限定テーブルが選択されていれば、その限定テーブルに対応する当たり用変動パターンテーブルから変動パターンが仮決定され、限定テーブルでない後述する通常テーブルが選択されていれば、その通常テーブルに対応する当たり用変動パターンテーブルから変動パターンが仮決定される。以上のように決定された当否判定結果や図柄と変動パターンの判定結果が送信バッファに一時保存され（Ｓ５６）、サブ基板１０４の演出決定手段１３２へ送信される（Ｓ５８）。
【００９２】
図１３は、図１０におけるＳ１４の通常遊技制御処理を詳細に示すフローチャートである。  
ここでは、第１特別図柄１９２、第２特別図柄１９３、装飾図柄１９０を変動表示させる図柄変動処理と並行して、大当たりが連続する可能性を示唆するとともに第１始動入賞口６２への入球を促す示唆演出処理が実行される（Ｓ６０）。まだ図柄変動表示が開始されていない場合（Ｓ６１のＮ）、第２保留手段１４６により抽選値の保留がなされている場合（Ｓ６２のＹ）、第２当否判定手段１１７が第２保留手段１４６から第２抽選値を読み出してあらためて第２特別図柄１９３の当否を判定し（Ｓ６４）、第２当否判定手段１１７が第２特別図柄１９３を決定し（Ｓ６６）、第２パターン決定手段１１９が第２特別図柄１９３の変動パターンを決定し（Ｓ６８）、第２特別図柄１９３および装飾図柄１９０の図柄変動を開始する（Ｓ７７）。この変動パターンの決定に際し、限定テーブルが設定されていればこれを用い、通常テーブルが設定されていればこれを用いる。
【００９３】
第２保留手段１４６により第２抽選値の保留がなされていない場合であって（Ｓ６２のＮ）、第１保留手段１４４により第１抽選値の保留がなされている場合（Ｓ７０のＹ）、第１当否判定手段１１３が第１保留手段１４４から第１抽選値を読み出してあらためて第１特別図柄１９２の当否を判定し（Ｓ７２）、第１当否判定手段１１３が第１特別図柄１９２を決定し（Ｓ７４）、第１パターン決定手段１１４が第１特別図柄１９２の変動パターンを決定し（Ｓ７６）、第１特別図柄１９２および装飾図柄１９０の図柄変動を開始する（Ｓ７７）。この変動パターンの決定に際し、限定テーブルが設定されていればこれを用い、通常テーブルが設定されていればこれを用いる。第１保留手段１４４により第１抽選値の保留がなされていない場合はＳ７２からＳ７７までの処理をスキップする（Ｓ７０のＮ）。
【００９４】
Ｓ７７にて開始された図柄変動が第１抽選値の当たりを表示するものであった場合（Ｓ７８のＹ）、パターン決定テーブルが限定テーブルに設定されていた場合には通常テーブルに切り替える（Ｓ７９）。その図柄変動が第１抽選値の当たりを表示するものでなかった場合（Ｓ７８のＮ）、Ｓ７９の処理をスキップして本図のフローを終了する。
【００９５】
すでに図柄変動表示が開始されている場合（Ｓ６１のＹ）、図柄変動表示を処理し（Ｓ８０）、所定の変動時間が経過して図柄表示の停止タイミングに達したときは（Ｓ８１のＹ）、表示中の図柄変動を停止する（Ｓ８２）。図柄表示の停止タイミングに達していない場合はＳ８２の処理をスキップして本図のフローを終了する（Ｓ８１のＮ）。
【００９６】
図１４は、図１３におけるＳ６０の示唆演出処理を詳細に示すフローチャートである。  保留がある場合（Ｓ８６のＹ）、演出表示制御手段１３４が図６に示した保留画像による示唆演出を表示する（Ｓ８８）。このとき、確変中であるか否かを問わずに当たりとなる当たり確定第１抽選値があれば、第１保留画像２０２の中に犯人画像２１０が表示される。その場合、第１抽選値の保留が消化されれば、犯人画像２１０が檻画像２１２の方向にシフトしていくことになる。このとき、確変中であって当たり確定第１抽選値が保留されていれば（Ｓ９０のＹ，Ｓ９２のＹ）、演出決定手段１３２が優先消化を前提としてその第１抽選値が消化される前までの残り時間を算出する（Ｓ９３）。このような場合、図１２のＳ４７の処理で限定テーブルが設定されているため、変動時間は固定されている。ここでは、この固定された変動時間に対し、その当たり確定第１抽選値以前に消化される抽選値の保留数を乗算することにより残り時間が算出される。演出表示制御手段１３４は、算出された残り時間に対応するように示唆画像２０６を表示させる。つまり、図７に示した爆弾画像の導火線の長さが、この残り時間に対応する長さにて表示される。
【００９７】
一方、保留がない場合（Ｓ８６のＮ）、確変中でない場合（Ｓ９０のＮ）、当たり確定第１抽選値が保留されていない場合には（Ｓ９２のＮ）、既に示唆画像２０６が表示中であれば（Ｓ９５のＹ）、これを消去する（Ｓ９６）。示唆画像２０６が表示中でなければ（Ｓ９５のＮ）、Ｓ９５の処理をスキップして本図のフローを終了する。
【００９８】
図１５、図１０におけるＳ１６の特別遊技を詳細に示すフローチャートである。まず、第１大入賞口９１または第２大入賞口９２がまだ開放済でない場合（Ｓ１００のＮ）、演出表示制御手段１３４が特別遊技の演出処理を開始し（Ｓ１０２）、開閉制御手段１２４が第１大入賞口９１または第２大入賞口９２を開放する（Ｓ１０４）。第１大入賞口９１または第２大入賞口９２が開放済であればＳ１０２およびＳ１０４をスキップする（Ｓ１００のＹ）。第１大入賞口９１または第２大入賞口９２が開放されてから、所定の開放時間が経過した場合（Ｓ１０６のＹ）、または、開放時間が経過していないものの（Ｓ１０６のＮ）、第１大入賞口９１または第２大入賞口９２への入球数が９球以上に達した場合（Ｓ１０８のＹ）、開閉制御手段１２４が第１大入賞口９１または第２大入賞口９２を閉鎖させる（Ｓ１１０）。開放時間が経過しておらず（Ｓ１０６のＮ）、第１大入賞口９１または第２大入賞口９２への入球数も９球以上に達していない場合は（Ｓ１０８のＮ）、Ｓ１１０以降の処理をスキップしてＳ１６のフローを終了する。
【００９９】
Ｓ１１０における第１大入賞口９１または第２大入賞口９２の閉鎖後、単位遊技が最終ラウンドに達していた場合（Ｓ１１２のＹ）、演出表示制御手段１３４は特別遊技の演出処理を終了させ（Ｓ１１４）、特別遊技制御手段１２０は特別遊技を終了させ（Ｓ１１６）、特定遊技、すなわち確変および時短の実行を開始する（Ｓ１１８）。単位遊技が最終ラウンドに達していなければ（Ｓ１１２のＮ）、ラウンド数に１を加算してＳ１６のフローを終了する（Ｓ１１９）。
【０１００】
以上に説明したように、本実施例のぱちんこ遊技機１０においては、確変中に第１保留画像２０２に犯人画像２１０を表示させることにより第１特別遊技への移行が確定したことが示唆される。また、さらにその第１特別遊技への移行を先送りにして高確率状態を維持し、第２始動入賞口６３への入球を狙うことにより第２特別遊技が連続して発生する可能性があることが示唆される。このため、１回分の大当たりを獲得することにより最低限の利益状態を確保して安堵感を得た上で、さらに有利な状態で利益獲得を目指せるといった斬新な遊技過程を遊技者に提供することができる。
【０１０１】
また、いわゆる先読みを可能としたことにより、第１特別遊技への移行前に確保可能な残り時間を示唆画像２０６により示唆する示唆演出が行われる。第１の抽選について当たり図柄変動を行う前に、保留数分の全ての結果をその変動開始前に前倒し的に判定して示唆演出を早期に開始できるため、遊技者の期待感を相対的に長期間保持することができるようになる。また、遊技者がその残り時間を具体的時間値として把握できるため、そのチャンスの期間を活かしたいという意欲の高揚にもつながり、遊技の継続性を維持できるようになる。
【０１０２】
以上、本発明を実施例をもとに説明した。この実施例はあくまで例示であり、それらの各構成要素や各処理プロセスの組み合わせにいろいろな変形例が可能なこと、またそうした変形例も本発明の範囲にあることは当業者に理解されるところである。
【０１０３】
上記実施例においては、図９において複数の限定テーブルがある例を示した。変形例においては、限定テーブルを１つにし、そのテーブル内に変動時間が異なる複数の変動パターンを選択可能とする構成としてもよい。このようなテーブルの構成により、データの記憶容量を節約することができる。なお、その変動時間は抽選値の保留数によらず設定されることになる。あるいは、変動パターンの変動時間に短変動のものを設けることなく、確変中において、第１抽選値が確変中であるか否かにかかわらず当たりとなる範囲にあることを条件に、いずれも所定の長変動の変動テーブルが選択されるような構成としてもよい。このようにすれば、その条件が満たされる限り、遊技者には有利な遊技が進行されることになるため、遊技者の安堵感がより満たされるようになる。
【０１０４】
上記実施例では、第１抽選値が確変中であるか否かにかかわらず当たりとなる範囲にあることを条件に、通常テーブルから限定テーブルへ切り替える態様を示したが、通常状態において外れとなる場合にも限定テーブルを選択するようにしてもよい。その場合、通常状態でも当たりとなる場合に長変動テーブルを選択し、外れとなる場合には短変動テーブルを選択するようにしてもよい。
【０１０５】
上記実施例においては、図１２に示したように、事前判定処理の段階で当否判定結果、図柄、変動パターンの情報をサブ基板１０４の演出決定手段１３２へ送信するようにした。変形例においては、当否判定結果と変動時間情報のみなど、示唆演出に必要な情報のみを事前に送信するようにしてもよい。このようにすれば、装置の処理負荷の軽減を図ることができる。例えば、第１の抽選の結果、第１抽選値が当たり確定範囲内にあった場合、以降の優先的に消化される第２始動入賞口６３への入賞による第２の抽選においては、変動時間が固定された限定テーブルのみが使用されるので、変動時間情報をあえて送らず、当否判定結果のみを送るようにしてもよい。
上記実施例では、Ｓ２８の事前判定処理とＳ６８やＳ７６の本判定処理（実際の変動パターンが選択される処理）とで、同じように限定テーブルや通常テーブルを選択する例を示したが、両処理の間でその選択基準を異ならせるようにしてもよい。つまり、限定テーブルおよび通常テーブルにおいて事前判定処理専用のテーブルと、本判定処理専用のテーブルとを別個に設定してもよい。事前判定処理にて限定テーブルが選択された場合、その当たり確定変動が実行されることが決定された後の第１抽選値については通常テーブルを参照するようにしてもよい。
【０１０６】
上記実施例では、確変中において、第１抽選値が確変中であるか否かにかかわらず当たりとなる範囲にあることを条件に、第２始動入賞口６３への入球を促す示唆演出を行うようにした。変形例においては、第１の抽選の結果が第１特別遊技への移行期待度が相対的に高いことを示す高期待度演出に対応づけられたものであることを条件に、同様の示唆演出を行うようにしてもよい。例えば、当否抽選の結果が当たりとなったときに出現頻度が高くなるスーパーリーチや特定の予告演出など、遊技者が当たりへの期待感を高める演出に対応づけられている場合に示唆演出を行うようにしてもよい。このようにすれば、確信はなくとも１回分の大当たりを獲得できた可能性が高いという期待感を得た上でさらなる利益獲得を目指せるといった遊技過程を提供できる。
【０１０７】
上記実施例では、演出図柄表示装置６０の表示領域１９４に装飾図柄１９０を１つ表示し、第１の抽選の結果および第２の抽選の結果の双方を表示させるようにした。変形例においては、表示領域１９４に第１の抽選の結果と第２の抽選の結果を区分けして表示させるようにしてもよい。具体的には、例えば表示領域１９４の左エリアに第１の抽選の結果を変動表示させ、右エリアに第２の抽選の結果を変動表示させるようにしてもよい。そして、左エリアの下方に第１保留画像２０２を表示し、右エリアの下方に第２保留画像２０４を表示させるようにしてもよい。また、上記実施例では特殊画像として犯人画像２１０、つまり特定のキャラクタの顔画像を表示させたが、キャラクタの顔画像のみではなく全体画像であってもよい。あるいは、所定のモチーフを表す画像であってもよい。
上記実施例では、第１の抽選にて第１抽選値が当たり確定範囲に含まれていた場合、第２抽選値を切らすことなく遊技を継続することにより、実質的に大当たりの連続（連チャン）が発生することを遊技者に意識づける処理を行った。変形例においては、そのとき実際に第２の抽選の結果が当たりとなり大当たりの連チャンが発生したときに、表示領域１９４にこれを明示する演出表示を行ってもよい。例えば図４に示した第２保留画像２０４において、当たりを確定させる抽選値に対応するランプ画像に、その連チャン確定を示すキャラクタの顔画像等を表示させるようにしてもよい。
上記実施例においては、第１当否判定手段１１３による図柄決定と第２当否判定手段１１７による図柄決定とで共通の図柄範囲テーブルを用いる例を説明した。変形例においては、第１当否判定手段１１３と第２当否判定手段１１７とで別個の図柄範囲テーブルを用いる構成としてもよい。また、第１パターン決定手段１１４と第２パターン決定手段１１９とで共通の変動パターンテーブルを用いる例を実施例で説明したが、変形例においては、第１パターン決定手段１１４と第２パターン決定手段１１９とで別個の変動パターンテーブルを用いる構成としてもよい。
【０１０８】
上記実施例においては、遊技領域の下部に２つの大入賞口が設けられた例を示した。変形例においては、遊技領域の下部に大入賞口が１つ設けられるようにしてもよい。すなわち、１つの大入賞口が第１遊技および第２遊技の双方に共用されようにしてもよい。これにより、遊技領域上のスペースを有効活用できる。また、連続的に状態変化する可変入球装置を共通とすることで、特別遊技の動作制御を単純にすることができ、また製造コストの削減にもつながる。
【図面の簡単な説明】
【０１０９】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】演出図柄表示装置に表示される示唆演出の画面例を表す図である。
【図５】優先消化処理の例を表すタイミングチャートである。
【図６】表示領域に表示される示唆演出の具体例を表す図である。
【図７】表示領域に表示される示唆演出の具体例を表す図である。
【図８】第１パターン決定手段および第２パターン決定手段が変動パターンを決定する際に用いるパターン決定テーブルのデータ構造図である
【図９】第１パターン決定手段および第２パターン決定手段が変動パターンを決定する際に用いるパターン決定テーブルのデータ構造図である。
【図１０】ぱちんこ遊技機における基本的な動作過程を示すフローチャートである。
【図１１】図１０におけるＳ１０の入賞処理を詳細に示すフローチャートである。
【図１２】図１１におけるＳ２８の事前判定処理を詳細に示すフローチャートである。
【図１３】図１０におけるＳ１４の通常遊技制御処理を詳細に示すフローチャートである。
【図１４】図１３におけるＳ６０の示唆演出処理を詳細に示すフローチャートである。
【図１５】図１０におけるＳ１６の特別遊技を詳細に示すフローチャートである。
【符号の説明】
【０１１０】
１０  ぱちんこ遊技機、  ２０  第１特図保留ランプ、  ２１  第２特図保留ランプ、  ５０  遊技盤、  ５２  遊技領域、  ６０  演出図柄表示装置、  ６２  第１始動入賞口、  ６３  第２始動入賞口、  ７０  第１特別図柄表示装置、  ７１  第２特別図柄表示装置、  ９１  第１大入賞口、  ９２  第２大入賞口、  １００  遊技制御装置、  １０２  メイン基板、  １０４  サブ基板、  １１３  第１当否判定手段、  １１４  第１パターン決定手段、  １１６  保留制御手段、  １１７  第２当否判定手段、  １１８  メイン表示制御手段、  １１９  第２パターン決定手段、  １２０  特別遊技制御手段、  １２２  特定遊技実行手段、  １２６  第１抽選手段、  １２８  第２抽選手段、  １３０  パターン記憶手段、  １３２  演出決定手段、  １３４  演出表示制御手段、  １４４  第１保留手段、  １４６  第２保留手段、  １９０  装飾図柄、  １９２  第１特別図柄、  １９３  第２特別図柄、  １９４  表示領域、  ２００  状態報知画像、  ２０２  第１保留画像、  ２０４  第２保留画像、  ２０６  示唆画像、  ２１０  犯人画像、  ２１２  檻画像、  ２２０  限定テーブル、  ２２２  限定テーブル、  ２２４  限定テーブル。
【図１】
0005147059.tif 000002
【図２】
0005147059.tif 000003
【図３】
0005147059.tif 000004
【図４】
0005147059.tif 000005
【図５】
0005147059.tif 000006
【図６】
0005147059.tif 000007
【図７】
0005147059.tif 000008
【図８】
0005147059.tif 000009
【図９】
0005147059.tif 000010
【図１０】
0005147059.tif 000011
【図１１】
0005147059.tif 000012
【図１２】
0005147059.tif 000013
【図１３】
0005147059.tif 000014
【図１４】
0005147059.tif 000015
【図１５】
0005147059.tif 000016